(57)【特許請求の範囲】
【請求項１】
前枠に該前枠側の電気系に接続された枠側コネクタを有する枠側ジョイント部を、前記前枠に固定の遊技盤装着枠に着脱自在に装着された遊技盤に、該遊技盤側の電気系に接続された盤側コネクタを有する盤側ジョイント部を夫々備え、前記遊技盤装着枠に対する前記遊技盤の着脱時に前記両ジョイント部の対応する前記コネクタ同士が着脱するようにした弾球遊技機であって、前記遊技盤を前記遊技盤装着枠に嵌め込んだときに前記枠側ジョイント部にかかる荷重を前記遊技盤で受けて前記枠側ジョイント部の逃げを阻止する逃げ阻止手段を前記前枠に設け、前記逃げ阻止手段は前記枠側ジョイント部に対して前記遊技盤と反対側から当接する第１当接部と、前記遊技盤に対して前記枠側ジョイント部側から当接する第２当接部と、前記両当接部を連携させる連携手段とを備えたことを特徴とする弾球遊技機。
【請求項２】
前記枠側ジョイント部は前記遊技盤装着枠の内側に突出して前記盤側ジョイント部と前後に対向しており、前記第１当接部は少なくとも前記枠側ジョイント部の突出部分に当接することを特徴とする請求項１に記載の弾球遊技機。
【請求項３】
前記逃げ阻止手段は前記遊技盤が前記遊技盤装着枠の所定位置に嵌合したときに前記盤側ジョイント部を適正位置に保持することを特徴とする請求項１又は２に記載の弾球遊技機。
【請求項４】
前記遊技盤装着枠に前側から嵌合された前記遊技盤と、該遊技盤の後方で前記遊技盤装着枠に装着された前記枠側ジョイント部とを備え、前記連携手段は中間部が前記前枠の裏側に揺動自在に支持された揺動部材と、前記前枠に前後方向に摺動自在に挿通された当接部材とを備え、前記揺動部材は前記第１当接部を一端側に、前記当接部材を前側へと押圧する押圧部を他端側に夫々有し、前記当接部材の前端は前記遊技盤に裏側から当接することを特徴とする請求項１〜３の何れかに記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に前側又は裏側から遊技盤が着脱自在に装着されている。遊技盤には前面の遊技領域に入賞手段その他の遊技部品が、裏側に遊技部品等の遊技動作を制御する主制御基板及び演出動作を制御する演出制御基板が夫々装着されている。また前枠側には電源基板、発射制御基板、払い出し制御基板が装着されている。
【０００３】
この種の弾球遊技機では、前枠に遊技盤を装着した後、前枠側と遊技盤側とを電気的に接続する必要がある。そこで、電源基板、払い出し制御基板にハーネスを介して接続された複数の枠側コネクタを有する枠側ジョイント部を前枠に設けると共に、主制御基板、演出制御基板等にハーネスを介して接続された複数の盤側コネクタを有する盤側ジョイント部を遊技盤に設け、この枠側ジョイント部と盤側ジョイント部とを連結することにより、対応するコネクタ同士が電気的に接続するようにしたものがある（特許文献１）。
【特許文献１】特開２００５−８０９０３号公報
【発明の開示】
【発明が解決しようとする課題】
【０００４】
従来の弾球遊技機は、前枠側と遊技盤側との電気系を一括して電気的に接続できるとは云うものの、前枠に対する遊技盤の着脱とは別に枠側ジョイント部と盤側ジョイント部とを着脱する必要がある。
【０００５】
そこで、近時の弾球遊技機では、盤側ジョイント部と枠側ジョイント部とを遊技盤装着枠の下隅部に配置し、遊技盤を遊技盤装着枠に対して着脱する際に、盤側ジョイント部と枠側ジョイント部との対応するコネクタ同士を挿脱することが考えられている。
【０００６】
この場合、例えば遊技盤を遊技盤装着枠に対して前側から着脱する装着形態であれば、盤側ジョイント部を遊技盤の裏側の下隅部に、枠側ジョイント部を遊技盤装着枠の下隅部に夫々配置することが考えられる。しかし、枠側ジョイント部は遊技盤の裏面の盤側ジョイント部と前後に対応する関係から、略矩形枠状の遊技盤装着枠の内側に突出して前枠に取り付ける必要があり、枠側ジョイント部の突出端側を前枠に固定することは構造上困難である。
【０００７】
従って、遊技盤を遊技盤装着枠に嵌め込んでコネクタ同士を接続する際に、盤側ジョイント部によりコネクタ相互の挿入抵抗等を介して枠側ジョイント部が後方へと押されて、枠側ジョイント部の突出端側が後方に逃げることがあり、コネクタ同士が確実に接続せずに接触不良が生じ易いという問題がある。
【０００８】
本発明は、このような従来の問題点に鑑み、遊技盤を遊技盤装着枠に嵌合することにより、遊技盤側の盤側ジョイント部と前枠の枠側ジョイント部とのコネクタ同士を確実に接続でき、両者間の接触不良等を未然に防止することができる弾球遊技機を提供することを目的とする。
【課題を解決するための手段】
【０００９】
本発明は、前枠に該前枠側の電気系に接続された枠側コネクタを有する枠側ジョイント部を、前記前枠に固定の遊技盤装着枠に着脱自在に装着された遊技盤に、該遊技盤側の電気系に接続された盤側コネクタを有する盤側ジョイント部を夫々備え、前記遊技盤装着枠に対する前記遊技盤の着脱時に前記両ジョイント部の対応する前記コネクタ同士が着脱するようにした弾球遊技機であって、前記遊技盤を前記遊技盤装着枠に嵌め込んだときに前記枠側ジョイント部にかかる荷重を前記遊技盤で受けて前記枠側ジョイント部の逃げを阻止する逃げ阻止手段を前記前枠に設け、前記逃げ阻止手段は前記枠側ジョイント部に対して前記遊技盤と反対側から当接する第１当接部と、前記遊技盤に対して前記枠側ジョイント部側から当接する第２当接部と、前記両当接部を連携させる連携手段とを備えたものである。
【発明の効果】
【００１０】
本発明によれば、遊技盤９を遊技盤装着枠８に嵌合することにより、遊技盤９側の盤側ジョイント部４７と前枠３の枠側ジョイント部４８とのコネクタ５６〜５９，９０〜９３同士を確実に接続でき、両者間の接触不良等を未然に防止することができる。
【発明を実施するための最良の形態】
【００１１】
以下、本発明の実施形態を図面に基づいて詳述する。図１〜図１２は本発明をパチンコ機に採用した第１の実施形態を例示している。図１において、１は遊技機本体で、矩形状の外枠２と、この外枠２の前側に開閉自在に枢着された前枠３とを備えている。
【００１２】
前枠３は図２、図３に示すように、外枠２の前面側に当接する矩形枠部４と、この矩形枠部４内の下部に配置された下部装着部５と、矩形枠部４内の上部に配置された上部装着部６とを一体に備え、下部装着部５に発射手段７等が、上部装着部６に遊技盤装着枠８を介して遊技盤９が夫々配置されている。前枠３は矩形枠部４の左右一端側、例えば左側に設けられた上下方向のヒンジ１０により外枠２に開閉、着脱自在に枢支されている。
【００１３】
前枠３の前側には、下部装着部５の前側に対応する前開閉板１１と、上部装着部６の前側に対応するガラス扉１２とがヒンジ１０と同じ側のヒンジ１３により開閉自在に枢支されている。前開閉板１１には、その前側に発射手段７に供給するための遊技球を貯留する供給皿１４、発射手段７を作動させるための発射ハンドル１５等が設けられている。
【００１４】
ガラス扉１２は図１、図４に示すように、遊技盤９の遊技領域１６（図２参照）に対応する窓孔１７を有し、扉枠１８と、この扉枠１８の前面に装着された合成樹脂製の化粧カバー１９と、窓孔１７に対応して扉枠１８の裏側に着脱自在に装着され且つ遊技盤９の遊技領域１６を透視可能なガラスユニット２０とから構成され、遊技盤９を前側から覆うように配置されている。ガラスユニット２０は前後２枚のガラス板２１と、このガラス板２１の外周を保持する保持枠２２とを備えている。
【００１５】
下部装着部５は図２、図３に示すように横長状であって、前側の左右方向の略中央に発射手段７が、その一側に下部スピーカ２３が夫々配置されている。発射手段７は下部装着部５に固定された板金製の支持板２４と、この支持板２４の前面に装着された発射レール２５と、支持板２４の前面で前後方向の駆動軸廻りに揺動自在に支持された打撃槌２６と、支持板２４の裏側に装着され且つ打撃槌２６を打撃方向に駆動するロータリソレノイド等の発射駆動手段２７等を備え、発射ハンドル１５を操作したときに発射駆動手段２７により打撃槌２６を打撃方向（時計廻り）に間欠的に駆動することにより、供給皿１４から発射レール２５上に供給された遊技球を発射レール２５に沿って打撃して遊技盤９側に発射させるようになっている。
【００１６】
上部装着部６は前枠３を閉鎖したときに外枠２の内側に嵌合する後ろ向き膨出状であって、この上部装着部６には図３〜図５に示すように前側から遊技盤９が着脱自在に装着される遊技盤装着枠８が、後側に遊技盤９の後部側を略取り囲む後部ケース３０が夫々設けられている。なお、上部装着部６の上部側には左右一対の上部スピーカ３１が着脱自在に装着されている。
【００１７】
遊技盤９は図２に示すように、その前面側には発射手段７からの遊技球を遊技領域１６の上部側へと案内する外レール３３、内レール３４等のガイドレールと円弧状の装飾部材３５とが遊技領域１６を取り囲むように環状に装着されると共に、その遊技領域１６内に液晶表示手段（画像表示手段）３７、通過ゲート３８、開閉式入賞手段３９、大入賞手段４０、普通入賞手段４１等の各種遊技部品が装着されている。外レール３３と内レール３４との下端間は、遊技盤９の下端の左右方向の一側で下方に開放しており、その開放部分が発射手段７からの遊技球を受け入れる球受け入れ口４２となっている。
【００１８】
遊技盤９の裏面には図４、図６、図８に示すように、液晶表示手段３７等の遊技部品を後側から覆う裏カバー４４と、この裏カバー４４の下側に配置された集球ケース４５と、遊技盤９の右下隅に対応して集球ケース４５の側方下部の段部４６に配置された盤側ジョイント部４７とが設けられている。
【００１９】
集球ケース４５の背面には主制御基板５０が格納された主基板ケース５１が着脱自在に装着され、また裏カバー４４の背面側には演出制御基板５２が格納された演出基板ケース５３と、液晶制御基板５４が格納された液晶基板ケース５５とが夫々着脱自在に装着されている。
【００２０】
盤側ジョイント部４７は遊技盤装着枠８に対する遊技盤９の装着時に前枠３側の枠側ジョイント部４８との間で前枠３側と遊技盤９側との電気系を一括して接続するためのもので、球受け入れ口４２と反対側の下部に配置されている。この盤側ジョイント部４７は図４、図６、図８に示すように、主制御基板５０の信号出力部に接続された盤側コネクタ５６と、主制御基板５０の電源部に接続された盤側コネクタ５７と、演出制御基板５２の演出信号出力部に接続された盤側コネクタ５８と、演出制御基板５２、液晶制御基板５４の電源部に接続された盤側コネクタ５９とを備えている。
【００２１】
各盤側コネクタ５６〜５９は左右方向に長い横長状であって、上下方向に所定の間隔をおいて盤側基板６０に装着され、保護カバー６１から後方に突出している。盤側基板６０、保護カバー６１は固定具により集球ケース４５の段部４６に着脱自在に固定されている。盤側基板６０には集球ケース４５の張り出し部６２側に中継コネクタ５６ａ〜５９ａ等が設けられ、また保護カバー６１には中継コネクタ５６ａ〜５９ａに接続された各ハーネスを押えるハーネス押え部６４が後方に傾斜状に設けられている。なお、盤側コネクタ５６〜５９は周壁の内部に多数の接続ピンを備えた雄型である。
【００２２】
遊技盤装着枠８は図２〜図５に示すように、遊技盤９を上下、左右から取り囲む上下一対の横枠部６７及び左右一対の縦枠部６８と、この各横枠部６７及び縦枠部６８の後端側から内周へと突出して遊技盤９の裏面の外周部が前側から当接する各一対の後壁部６９，７０とを備え、遊技盤９を前側から着脱自在に嵌合するように前側に開放する矩形状に構成されている。
【００２３】
この遊技盤装着枠８には図２、図３、図５に示すように、遊技盤９の球受け入れ口４２に近い左側に係合突起７１と付勢手段７２とが、反対側にロック手段７３が夫々上下方向に２個（複数個）設けられており、これらにより遊技盤装着枠８内で遊技盤９が固定されている。また前枠３には下側のロック手段７３の近傍に枠側ジョイント部４８と、枠側ジョイント部４８の後方への逃げを阻止する逃げ阻止手段７４とが設けられている。
【００２４】
係合突起７１は遊技盤装着枠８に遊技盤９を装着するときに、遊技盤９の球受け入れ口４２に近い左端縁を係合するためのもので、後壁部７０との間に遊技盤９の厚さ分の間隔をおいて左側の縦枠部６８に設けられている。各付勢手段７２は遊技盤装着枠８に遊技盤９を装着したときに、遊技盤９の前面端部が係合突起７１に当接すべく遊技盤９を裏側から押圧するためのもので、板バネ等の弾性体により構成されている。なお、付勢手段７２は後部ケース３０の周壁部の内側等に取り付けられている。
【００２５】
ロック手段７３は遊技盤装着枠８内の遊技盤９を固定するためのもので、遊技盤９を遊技盤装着枠８に嵌め込んだときに、遊技盤９の上下の切り欠き部７５内に嵌合するように遊技盤装着枠８の後壁部６９から前側に突出して設けられている。
【００２６】
このロック手段７３は、図５、図７、図１１に上側のロック手段７３を示すように、遊技盤装着枠８の各横枠部６７の後壁部６９から前向きに突設された略前後方向の回動軸７７と、この回動軸７７の前端側に固定された操作つまみ７８と、回動軸７７の前後方向の中間部分に固定された押圧突起７９とを一体に備えている。なお、操作つまみ７８は着脱位置ａのときに遊技盤９の切り欠き部７５内を前後方向に通過可能である。
【００２７】
回動軸７７は後壁部６９の裏側に貫通して、その後端の偏平状等の支持部８０が後壁部６９の裏側の円筒状の保持部８１に嵌合され、この保持部８１内で有底円筒状の押え部材８２により後方への移動が規制されており、操作つまみ７８が着脱位置ａとロック位置ｂとの間で回動するように前後方向の軸心廻りに回動自在である。
【００２８】
押え部材８２は保持部８１に対して裏側から着脱可能に係合爪８３により係止されており、この押え部材８２と支持部８０との間に、操作つまみ７８を着脱位置ａとロック位置ｂとに位置決めする位置決め手段８４が設けられている。
【００２９】
そして、ロック手段７３は操作つまみ７８を着脱位置ａからロック位置ｂへと図７のｃ矢示方向に回動操作したときに、押圧突起７９が切り欠き部７５に形成された被押圧面７６を押圧し、また操作つまみ７８が切り欠き部７５の両側の突部８５を後方へと押圧して、遊技盤装着枠８内の所定位置に遊技盤９を固定するようになっている。
【００３０】
この実施例では、球受け入れ口４２に近い左下隅を原点位置として遊技盤９を装着しているため、遊技盤装着枠８の遊技盤９を左の縦枠部６８と下の横枠部６７とが交差する隅部に向かって押圧すべく、下側のロック手段７３の押圧突起７９は遊技盤９を左方向に、上側のロック手段７３の押圧突起７９は遊技盤９を左斜め下方に夫々押圧する。
【００３１】
なお、後壁部６９には保持部８１内に開口８６が形成され、この開口８６を経て回動軸７７、操作つまみ７８及び押圧突起７９が後壁部６９の前側へと挿脱自在に挿入されている。
【００３２】
枠側ジョイント部４８は、図３、図４、図８、図９、図１０に示すように、ジョイントケース８９と、盤側コネクタ５６〜５９に対応してジョイントケース８９の前面に装着された枠側コネクタ９０〜９３とを備えている。この枠側ジョイント部４８は、原点位置と反対側で下側のロック手段７３の上近傍において、遊技盤９との間に所定の間隔を置いて盤側ジョイント部４７の後方に対向して配置されている。
【００３３】
この枠側ジョイント部４８は遊技盤９の裏側の集球ケース４５を取り囲む後部ケース３０の内、その縦周壁部８７及び横周壁部８８の二辺に跨がって裏側から着脱自在に装着され、盤側ジョイント部４７と前後に相対向するように遊技盤装着枠８の内側に突出して配置されている。なお、ジョイントケース８９の内部で各枠側コネクタ９０〜９３に枠側ハーネスが接続されている。
【００３４】
ジョイントケース８９は後部ケース３０の縦周壁部８７及び横周壁部８８との二辺に対応する取り付け部９５，９６を有し、盤側ジョイント部４７の後方側で遊技盤装着枠８の内側へと突出しており、遊技盤装着枠８の右下隅で取り付け部９５，９６がネジ等の固定具９５ａ，９６ａにより縦周壁部８７及び横周壁部８８に着脱自在に固定されている。
【００３５】
各枠側コネクタ９０〜９３は図６に枠側コネクタ９３を示すように、盤側コネクタ５６〜５９の周壁９７内に挿脱自在な本体部９８の両側に取り付け部１００を有し、その取り付け部１００の遊動孔１０１に遊動筒１０２が遊動自在に嵌合され、その遊動筒１０２がネジ等の固定具１０３によりジョイントケース８９の前面に固定されている。なお、枠側コネクタ９０〜９３は雌型である。
【００３６】
逃げ阻止手段７４は遊技盤９を遊技盤装着枠８に前側から嵌合したときに、盤側ジョイント部４７を介して枠側ジョイント部４８にかかる荷重を遊技盤９で受けて枠側ジョイント部４８の後方への逃げを阻止するためのものである。
【００３７】
この逃げ阻止手段７４は、図５、図９、図１１、図１２に示すように、枠側ジョイント部４８に対して遊技盤９と反対側である後方から当接する第１当接部１０５と、遊技盤９に対して枠側ジョイント部４８側である後方側から当接する第２当接部１０６と、この両当接部１０５，１０６を連携させる連携手段１０７とを備え、遊技盤９が遊技盤装着枠８の後壁部６９に当接する所定位置に嵌合したときに、その遊技盤９に対して枠側ジョイント部４８を適正位置に保持するように構成されている。
【００３８】
連携手段１０７は枠側ジョイント部４８の下側近傍で前枠３に横方向の支軸１０８廻りに揺動自在に支持された揺動部材１０９と、枠側ジョイント部４８の下側で前枠３の案内孔１１０に前後方向に摺動自在に挿支された当接部材１１２とを有する。支軸１０８は遊技盤９の後端と枠側ジョイント部４８の後端との間の前後方向の中間部、取り分け遊技盤９から後方に離間して枠側ジョイント部４８の下側近傍に配置され、下側のロック手段７３の左右方向の外側近傍で横周壁部８８の裏側に形成された左右一対のブラケット８８ａにより回動自在に挿支されている。
【００３９】
揺動部材１０９は支軸１０８に套嵌されたボス部１１３と、このボス部１１３から枠側ジョイント部４８の裏側へと上向きに突出する第１アーム１１４と、ボス部１１３から下側へと突出する第２アーム１１５とを有し、その第１アーム１１４に枠側ジョイント部４８の裏面に当接する第１当接部１０５が上下方向に複数個設けられている。上側の第１当接部１０５は、枠側ジョイント部４８の遊技盤装着枠８から内側に突出する突出部分の上部に当接し、下側の第１当接部１０５は取り付け部９６に近い枠側ジョイント部４８の下部に当接する。なお、枠側ジョイント部４８への負荷を軽減するためには、第１当接部１０５はゴム、バネ等の弾性体で構成してもよい。
【００４０】
当接部材１１２は前枠３の横周壁部８８の下側で横枠部６７に前後方向に貫通して形成された案内孔１１０に挿入されており、その前端が遊技盤９の下端の裏側に後方から当接する第２当接部１０６となり、また後端の被押圧部１１６に揺動部材１０９の第２アーム１１５の押圧部１１７が後方から当接している。
【００４１】
なお、当接部材１１２は大径の被押圧部１１６をストッパーとして前側に抜けないようになっている。揺動部材１０９と当接部材１１２は、揺動部材１０９の支軸１０８廻りの揺動運動、当接部材１１２の直線運動を互いに許容するようにピン、長孔その他の結合手段を介して結合してもよい。
【００４２】
上記構成のパチンコ機において、前枠３の遊技盤装着枠８に遊技盤９を装着する場合には、先ずガラス扉１２を開放し、次いで遊技盤装着枠８の下側の横枠部６７上に遊技盤９を載せてその左端を縦枠部６８側の後壁部６９と上下の係合突起７１との間に当接する。そして、係合突起７１との係合部分を支点として遊技盤９の右側を後方へと押圧して遊技盤９を遊技盤装着枠８内に押し込む。
【００４３】
このとき各ロック手段７３の操作つまみ７８を着脱位置ａに合わせておけば、遊技盤装着枠８に遊技盤９を押し込むときに、操作つまみ７８が遊技盤９の切り欠き部７５内を相対的に通過して遊技盤９の前面側へと突出する。
【００４４】
また前枠３の枠側ジョイント部４８が遊技盤装着枠８の右の下隅部内に突出した状態にあり、遊技盤９の下隅部の盤側ジョイント部４７と前後方向に相対向しているので、係合突起７１との係合部分を支点として遊技盤９を遊技盤装着枠８内に押し込んだときに、盤側ジョイント部４７の各盤側コネクタ５６〜５９が枠側ジョイント部４８の対応する各枠側コネクタ９０〜９３に相対的に挿入されて行く。
【００４５】
従って、遊技盤９を遊技盤装着枠８内に嵌め込むことにより、前枠３側の電気系と遊技盤９側の電気系とを一括して電気的に接続することができ、従来のように遊技盤９を装着した後に手作業によってコネクタ５６〜５９，９０〜９３相互を接続する煩わしさを解消できる。
【００４６】
また枠側ジョイント部４８は遊技盤装着枠８の下隅部内に突出して、その二辺の取り付け部９５，９６で前枠３の後部ケース３０に取り付けられており、盤側ジョイント部４７の盤側コネクタ５６〜５９と枠側ジョイント部４８の枠側コネクタ９０〜９３とが当接したときの状況によっては、遊技盤９を遊技盤装着枠８に嵌合したときに盤側ジョイント部４７によって枠側ジョイント部４８が後方に押圧されて、枠側ジョイント部４８の突出端側が後方へと逃げることがある。
【００４７】
しかし、前枠３に逃げ阻止手段７４を設けており、この逃げ阻止手段７４により、盤側ジョイント部４７を介して枠側ジョイント部４８にかかる荷重を遊技盤９で受けて枠側ジョイント部４８の後方への逃げを阻止し、枠側ジョイント部４８を適正位置に保持する。このため盤側コネクタ５６〜５９と枠側コネクタ９０〜９３とを確実に嵌合させて電気的に接続することができ、両コネクタ５６〜５９，９０〜９３間の接触不良を容易且つ確実に解消することができる。
【００４８】
即ち、遊技盤９を遊技盤装着枠８に嵌め込む前の時点では、揺動部材１０９の第１アーム１１４側の第１当接部１０５が適正位置の枠側ジョイント部４８の裏面に軽く当接すると共に、第２アーム１１５側の押圧部１１７が当接部材１１２の後端の被押圧部１１６に当接した状態にあり、また被押圧部１１６が案内孔１１０の後端に当接して、当接部材１１２の前端の第２当接部１０６が図５に示すように遊技盤装着枠８の後壁部６９から前側に若干突出した状態にある。
【００４９】
この状態で遊技盤９を遊技盤装着枠８に嵌合して行くと、盤側ジョイント部４７が枠側ジョイント部４８に接近して両コネクタ５６〜５９，９０〜９３が嵌合し始める時点又はその前後の時点で、遊技盤９の裏面が遊技盤装着枠８の後壁部６９から前側に突出する第２当接部１０６に当接して、当接部材１１２が後方へと図５のｄ矢示方向に摺動する。これによって第２アーム１１５の押圧部１１７が後方へと押圧されて、揺動部材１０９が支軸１０８廻りに図１２のｅ矢示方向に回動し、第１アーム１１４の第１当接部１０５が枠側ジョイント部４８を後方から盤側ジョイント部４７側へと前方に押圧する。
【００５０】
従って、盤側ジョイント部４７から枠側ジョイント部４８に対して後方への荷重がかかっても、その荷重を連携手段１０７の揺動部材１０９、当接部材１１２を介して遊技盤９で受けることにより、枠側ジョイント部４８の後方への逃げを阻止して枠側ジョイント部４８を適正位置に保持することができ、遊技盤９が遊技盤装着枠８の後壁部６９に当接するまでの間に両コネクタ５６〜５９，９０〜９３を確実に接続することができる。
【００５１】
また逃げ阻止手段７４は第１当接部１０５を有する揺動部材１０９を枠側ジョイント部４８の近傍の支軸１０８により前枠３に枢着し、第２当接部１０６を有する当接部材１１２を前枠３に対して前後方向に摺動自在に設けているため、遊技盤９と枠側ジョイント部４８とが所定の間隔で前後方向に離間しているにも拘わらず、枠側ジョイント部４８にかかる荷重を簡単な構造で遊技盤９により確実に受けることができる。
【００５２】
遊技盤９の裏面が遊技盤装着枠８の後壁部６９に当接した後、各ロック手段７３の操作つまみ７８を着脱位置ａからロック位置ｂ側へとｃ矢示方向に回動操作すると、押圧突起７９が被押圧面７６を押圧して遊技盤９を遊技盤装着枠８の左下隅の原点位置側へと押し付ける。操作つまみ７８がロック位置ｂまで回動すると、操作つまみ７８が突部８５を介して遊技盤９を遊技盤装着枠８の後壁部６９へと後方に押し付ける。このように各ロック手段７３の操作つまみ７８をロック位置ｂまで操作することによって、このロック手段７３によって遊技盤９を遊技盤装着枠８内で固定することができる。
【００５３】
この実施例では、第２当接部１０６の後壁部６９からの突出量は、第１当接部１０５の弾性変形量程度が適当であるが、次のようにしてもよい。即ち、通常は第２当接部１０６の前端を後壁部６９の前面と略同じにする等、第２当接部１０６が後壁部６９から突出しない程度とし、枠側ジョイント部４８が若干後方へと逃げたときに第２当接部１０６が後壁部６９から前側へと突出して、その後に遊技盤９が第２当接部１０６に当接して第１当接部０５により枠側ジョイント部４８を適正位置へと押し戻すようにしてもよい。
【００５４】
このようにすれば、両コネクタ５６〜５９，９０〜９３が円滑に接続して枠側ジョイント部４８が後方へと逃げない場合には、逃げ阻止手段７４が殆ど又は全く作用しないので、枠側ジョイント部４８に負荷がかかることはない。また枠側ジョイント部４８が後方に逃げた場合でも、枠側ジョイント部４８が適正位置に戻った後は、枠側ジョイント部４８に過大な負荷がかかることもない。
【００５５】
図１３は本発明の第２の実施例を例示する。この実施例では、揺動部材１０９の第２アーム１１５の下端部に調整手段１２０が設けられており、この調整手段１２０により、当接部材１１２、揺動部材１０９相互のストロークを調整するようになっている。
【００５６】
調整手段１２０は第２アーム１１５に形成された雌ネジ１２１と、この雌ネジ１２１に前後方向に進退自在に螺合された調整ネジ１２２とを備えている。調整ネジ１２２は後部側に操作部１２３を有し、前端の押圧部１１７が当接部材１１２の被押圧部１１６に当接している。調整手段１２０は他の構成でもよい。
【００５７】
このようにすれば、当接部材１１２が被押圧部１１６等のストッパーを介して案内孔１１０等の後端に当接して第２当接部１０６の後壁部６９からの突出量が一定であるが、調整ネジ１２２を適宜前後方向に調整することにより第１当接部１０５のストロークが変化し、枠側ジョイント部４８に無理な荷重がかかり過ぎないように調整できる。また逃げ阻止手段７４の揺動部材１０９と当接部材１１２との間の遊びをなくし、又は適正遊び量に調整できる。
【００５８】
図１４は本発明の第３の実施例を例示する。この実施例では、連携手段１０７を構成する揺動部材１０９は、枠側ジョイント部４８の下側で支軸１０８により前枠３に枢支されている。そして、その第１アーム１１４は枠側ジョイント部４８の下側を経て裏側から上方へと起立するＬ字状に構成され、その起立部側に１個又は複数個の第１当接部１０５が設けられている。また第２アーム１１５は前下側へと傾斜し、その先端に第２当接部１０６が設けられている。第２当接部１０６は支軸１０８と平行な軸１２４により回転自在に支持されたローラ１２５により構成され、遊技盤９の裏面に対して転がり接触するようになっている。
【００５９】
このように逃げ阻止手段７４の連携手段１０７は、支軸１０８廻りに揺動する揺動部材１０９で構成してもよい。また支軸１０８に対して第２当接部１０６の位置を極力下げる一方、第２当接部１０６を構成するローラ１２５が遊技盤９に対して転がり接触することにより、遊技盤９が第２当接部１０６に当接したときに揺動部材１０９が支軸１０８廻りにスムーズに揺動するため、枠側ジョイント部４８にかかる荷重を遊技盤９で確実に受けることができる。
【００６０】
図１５、１６は本発明の第４の実施例を例示する。この実施例では、揺動部材１０９は支軸１０８を介して取り付け台１２７に装着されており、この取り付け台１２７は横周壁部８８の取り付け部１２８にネジ等の固定具１２９で着脱自在に固定されている。従って、逃げ阻止手段７４は前枠３に対して裏側から着脱自在である。
【００６１】
支軸１０８は遊技盤９の後端と枠側ジョイント部４８の後端との間の略中央近くに配置され、連携手段１０７を構成する揺動部材１０９には、その両端に第１当接部１０５及び第２当接部１０６が設けられている。即ち、揺動部材１０９にはその第１アーム１１４に１個又は複数個の第１当接部１０５が設けられ、また第２アーム１１５の先端部に調整手段１２０を介して第２当接部１０６が設けられている。調整手段１２０は調整ネジ１２２を有し、その前端が第２当接部１０６となっている。調整ネジ１２２は第２アーム１１５の下端部の雌ネジ１２１に前後方向に進退自在に螺合され、ロックナット１２６で固定されている。
【００６２】
このように逃げ阻止手段７４は取り付け台１２７を介して取り付ける等して前枠３に着脱自在に設ければ、保守、点検等に際して枠側ジョイント部４８を容易に着脱することができる。
【００６３】
図１７は本発明の第５の実施例を例示する。この実施例では、盤側ジョイント部４７は遊技盤９の裏面に近接して装着されており、枠側ジョイント部４８と遊技盤９との前後方向の間隔が小さくなっている。このような場合には、逃げ阻止手段７４の揺動部材１０９を枢支する支軸１０８は、枠側ジョイント部４８よりも後方で下側に設けてもよい。
【００６４】
図１８は本発明の第６の実施例を例示する。この実施例では、前枠３の横枠部６７には枠側ジョイント部４８の下側に揺動部材１０９が上側から挿脱自在に挿入される孔状その他の保持部１３０が形成され、その保持部１３０の後壁側に揺動部材１０９の揺動用の支点部１３１が設けられている。
【００６５】
揺動部材１０９は支点部１３１に対応する被支持部１３２を有し、この被支持部１３２が保持部１３０内で支点部１３１に当接して保持されている。揺動部材１０９は支点部１３１の上側の第１アーム１１４に第１当接部１０５を、下側の第２アーム１１５に押圧部１１７を夫々有し、押圧部１１７は当接部材１１２の後端の被押圧部１１６に当接している。
【００６６】
この場合にも、遊技盤９が当接部材１１２の第２当接部１０６に当接すれば、揺動部材１０９が支点部１３１廻りに揺動して枠側ジョイント部４８を適正位置に保持することができる。また揺動部材１０９は保持部１３０に挿入しており、支軸１０８により枢支していないので、必要に応じて容易に着脱することができる。この場合、支点部１３１とその上側の枠側ジョイント部４８との間隔、揺動部材１０９の支点部１３１から下側の形状等を適宜決定することにより、前枠３に枠側ジョイント部４８を固定したままの状態でも揺動部材１０９を保持部１３０に対して容易に挿脱可能にすることができる。
【００６７】
以上、本発明の各実施例について詳述したが、本発明はこれらの実施例に限定されるものではなく、本発明の趣旨を逸脱しない範囲で種々の変更が可能である。実施例では横方向の支軸１０８廻りに揺動する揺動部材１０９を備えた揺動式の逃げ阻止手段７４を例示しているが、揺動部材１０９は縦方向の支軸１０８廻りに揺動するようにしてもよい。
【００６８】
また揺動部材１０９を備えた揺動式の逃げ阻止手段７４の場合にも、その揺動部材１０９は特定の支点廻りに揺動すれば十分であり、必ずしも支軸１０８で揺動自在に枢支する必要はない。
【００６９】
逃げ阻止手段７４は遊技盤９を遊技盤装着枠８に嵌め込んだときに枠側ジョイント部４８にかかる荷重を遊技盤９で受けて枠側ジョイント部４８の逃げを阻止するものであればよい。従って、例えば枠側ジョイント部４８に対して遊技盤９と反対側から当接する第１当接部１０５と、遊技盤９に対して枠側ジョイント部４８側から当接する第２当接部１０６と、該両当接部１０５，１０６を連携させる連携手段１０７とを備えたものであれば、その連携手段１０７の構成は別に問題ではない。
【００７０】
また実施例では、前側が開放状の遊技盤装着枠８に前側から遊技盤９を着脱するようにしているが、遊技盤装着枠８を後側に開放状とし、この遊技盤装着枠８に遊技盤９を後側から着脱するようにしたものでも同様に実施可能である。その場合、枠側ジョイント部４８が前側となり、その後側に盤側ジョイント部４７が位置することになるため、逃げ阻止手段７４は枠側ジョイント部４８の前側への逃げを阻止するように構成すればよい。
【００７１】
枠側ジョイント部４８は遊技盤装着枠８内に突出するように前枠３に固定しておけば十分であり、前枠３に対する取り付け部９５，９６は、隣合う二辺に設ける他、その一辺又は三辺に設けてもよいし、全周に設けてもよい。要するに遊技盤装着枠８内に突出するように枠側ジョイント部４８を前枠３に取り付ける場合、枠側ジョイント部４８の突出端側の支持強度が低下するため、その少なくとも突出端側に逃げ阻止手段７４の第１当接部１０５を配置すればよい。実施例では、盤側ジョイント部４７の盤側コネクタ５６〜５９を固定とし、枠側コネクタ９０〜９３を浮動状態にしているが、枠側コネクタ９０〜９３を固定し、盤側コネクタ５６〜５９を浮動状態に設けてもよい。何れか一方が浮動状態であればよい。
【００７２】
盤側ジョイント部４７は遊技盤９の外周近傍の周辺部分に配置すればよく、例えば原点位置と反対側で遊技盤９の上隅部に配置してもよい。枠側ジョイント部４８は盤側ジョイント部４７に対応して遊技盤装着枠８内の上隅部に配置することになる。この場合にも、揺動部材１０９の支軸１０８を枠側ジョイント部４８の上側に配置する等によって、各実施例と同様の逃げ阻止手段７４を採用することが可能である。
【００７３】
また第１当接部１０５が枠側ジョイント部４８に当接する当接位置は、遊技盤装着枠８から突出する突出端を含む枠側ジョイント部４８の略全体でもよいし、上下方向及び／又は左右方向の複数箇所でもよい。例えば揺動部材１０９に第１当接部１０５を上下方向に２個以上の複数個設け、上部側の第１当接部１０５で枠側ジョイント部４８の上部側を押圧したときに、その反作用で下側の取り付け部９６が離脱又は破損しないように下部側の第１当接部１０５で枠側ジョイント部４８の下部側を押圧するようにしてもよい。
【００７４】
更に第１当接部１０５が枠側ジョイント部４８に当接する位置は、枠側ジョイント部４８の裏面の他、枠側ジョイント部４８の突出端側の前後方向の中間等に被当接用の耳部を設け、その耳部に第１当接部１０５が裏側から当接するようにしてもよい。従って、第１当接部１０５は枠側ジョイント部４８に対して遊技盤９と反対側から当接すれば、枠側ジョイント部４８の本体部分でもよいし、その本体部分から外れた部分でもよい。その他、枠側ジョイント部４８には、裏側から押圧部１１７が当接しても損傷しないように上下方向、左右方向等に補強リブ等を設けてもよい。本発明はパチンコ機以外の各種の弾球遊技機においても同様に実施可能である。
【図面の簡単な説明】
【００７５】
【図１】本発明の第１の実施例を示すパチンコ機の全体斜視図である。
【図２】同ガラス扉及び前面開閉板を取り外した状態での正面図である。
【図３】同前枠の斜視図である。
【図４】同要部の平面断面図である。
【図５】同要部の概略平面断面図である。
【図６】同遊技盤の背面図である。
【図７】同ロック手段の正面図である。
【図８】同ジョイント部の拡大断面図である。
【図９】同枠側ジョイント部周辺の背面図である。
【図１０】同枠側ジョイント部の斜視図である。
【図１１】同ロック手段、逃げ阻止手段の分解斜視図である。
【図１２】同ロック手段、逃げ阻止手段の側面断面図である。
【図１３】本発明の第２の実施例を示す要部の断面図である。
【図１４】本発明の第３の実施例を示す逃げ阻止手段の側面断面図である。
【図１５】本発明の第４の実施例を示す逃げ阻止手段の側面断面図である。
【図１６】同要部の平面断面図である。
【図１７】本発明の第５の実施例を示す逃げ阻止手段の側面断面図である。
【図１８】本発明の第６の実施例を示す逃げ阻止手段の側面断面図である。
【符号の説明】
【００７６】
３  前枠
８  遊技盤装着枠
９  遊技盤
４７  盤側ジョイント部
４８  枠側ジョイント部
５６〜５９  盤側コネクタ
７４  逃げ阻止手段
９０〜９３  枠側コネクタ
１０５  第１当接部
１０６  第２当接部
１０７  連携手段
１０９  揺動部材
１１２  当接部材
【図１】
0004825829.tif 000002
【図２】
0004825829.tif 000003
【図３】
0004825829.tif 000004
【図４】
0004825829.tif 000005
【図５】
0004825829.tif 000006
【図６】
0004825829.tif 000007
【図７】
0004825829.tif 000008
【図８】
0004825829.tif 000009
【図９】
0004825829.tif 000010
【図１０】
0004825829.tif 000011
【図１１】
0004825829.tif 000012
【図１２】
0004825829.tif 000013
【図１３】
0004825829.tif 000014
【図１４】
0004825829.tif 000015
【図１５】
0004825829.tif 000016
【図１６】
0004825829.tif 000017
【図１７】
0004825829.tif 000018
【図１８】
0004825829.tif 000019